(57)【要約】【課題】  構造が簡単であって、コスト高にならず、しかも、ピックアップの温度上昇を抑えることができ、ローダー遮光板が高温度で溶けることを防ぐことができてディスクに干渉することを防ぐことができる記録再生装置を提供する。【解決手段】  筐体１の内部にＡＶ基板２とＶＣＲ３とローダー４とメインＩＣ等の発熱部品６が裏面に実装されたローダー基板５とが配置され、ローダー遮光板やピックアップを設けたローダー４の上部にローダー基板５が配置された記録再生装置において、ＶＣＲ３とローダー４との間隙部分にメインＩＣ等の発熱部品６が配置されるようにローダー基板５がＶＣＲ３とローダー４間に架け渡され、筐体１の後壁に排気ファン７が配置されて排気ファン７よりローダー基板５における発熱部品６のＶＣＲ３寄りに向けて仕切り板８が配置されており、ローダー基板５の発熱部品６がローダー４上に位置しないようにした。【選択図】  図１
2008130149.tif 000002
【特許請求の範囲】
【請求項１】
筐体の内部にＡＶ基板とＶＣＲとローダーとメインＩＣ等の発熱部品が裏面に実装されたローダー基板とが配置され、ローダー遮光板やピックアップを設けた前記ローダーの上部に前記ローダー基板が配置された記録再生装置において、前記ＶＣＲと前記ローダーとの間隙部分にメインＩＣ等の発熱部品が配置されるように前記ローダー基板が前記ＶＣＲと前記ローダー間に架け渡され、前記筐体の後壁に排気ファンが配置されてこの排気ファンより前記ローダー基板における前記発熱部品の前記ＶＣＲ寄りに向けて仕切り板が配置されており、前記ローダー基板の前記発熱部品が前記ローダー上に位置しないように構成したことを特徴とする記録再生装置。
【請求項２】
筐体の内部にＡＶ基板とＶＣＲとローダーとメインＩＣ等の発熱部品が裏面に実装されたローダー基板とが配置され、ローダー遮光板やピックアップを設けた前記ローダーの上部に前記ローダー基板が配置された記録再生装置において、前記ＶＣＲと前記ローダーとの間隙部分にメインＩＣ等の発熱部品が配置されるように前記ローダー基板が前記ＶＣＲと前記ローダー間に架け渡され、前記筐体の後壁に排気ファンが配置されており、前記ローダー基板の前記発熱部品が前記ローダー上に位置しないように構成したことを特徴とする記録再生装置。
【発明の詳細な説明】
【技術分野】
【０００１】
本発明は、筐体の内部にＡＶ基板とＶＣＲとローダーとメインＩＣ等の発熱部品が裏面に実装されたローダー基板とが配置され、ローダー遮光板やピックアップを設けた前記ローダーの上部に前記ローダー基板が配置された記録再生装置に関するものである。
【背景技術】
【０００２】
従来の記録再生装置は、図３に示すように、筐体１０１の内部にＡＶ基板１０２とＶＣＲ１０３とローダー１０４とメインＩＣ等の発熱部品１０５が裏面に実装されたローダー基板１０６とが配置されている。更に、ローダー遮光板（図示略）やピックアップ（図示略）を設けたローダー１０４の真上にローダー基板１０６が配置されていた。この従来の記録再生装置においては、ローダー１０４の真上にローダー基板１０６が配置されているから、メインＩＣ、ドライバーＩＣ等の発熱部品１０５の発熱を受けてローダー遮光板やピックアップの温度が上昇し、ローダー遮光板の温度上昇でローダー遮光板が溶け、ディスク（図示略）に干渉してしまう不都合があるという問題があった。
【０００３】
第１の従来技術を図４に示す。この従来のディスク記録及び／又は再生装置は、図４に示すように、外装ケース２０７の内部を２つに仕切る導体からなる仕切り壁２１０を設けると共に、仕切り壁２１０の少なくとも一面の略全面を絶縁板２１１で覆い、仕切り壁２１０及び絶縁板２１１で仕切られた外装ケース２０７内の第１の室２７２内にテーブル回転装置２８２及び光学ピックアップ装置２８６を配置すると共に、第２の室２７３内にプリント基板２０４を配置する。（例えば、特許文献１参照）。
【０００４】
ところが、仕切り壁２１０で熱が伝わらないようにしているが、この仕切り壁２１０だけでは熱が伝わることを十分に防ぐことができないという問題があった。
【０００５】
第２の従来技術を図５、図６に示す。この従来のデータ記録装置は、図５、図６に示すように、カメラ本体筐体３０４内と、回転可能に軸支持され、画像表示面方向を変化することができるカメラ本体筐体３０４に対して、分離して設けられた画像表示部筐体３０６内に、ディスク駆動メカ機構３０１と、ディスク駆動メカ機構３０１や撮像素子などの制御回路を実装した回路基板３０２を分離して配置した。（例えば、特許文献２参照）。
【０００６】
ところが、これにおいては、ディスク駆動メカ機構３０１と回路基板３０２とをカメラ本体筐体３０４と画像表示部筐体３０６の別々の筐体内に分離して配置しているものであり、このため、配線が丈夫なものを使用しなくてはならず、コスト高になるという問題があった。
【特許文献１】特開２００５−６３５６０号公報
【特許文献２】特開２００４−２４６９４７号公報
【発明の開示】
【発明が解決しようとする課題】
【０００７】
本発明は、上記従来の問題に鑑みてなされたものであって、構造が簡単であって、コスト高にならず、しかも、ピックアップの温度上昇を抑えることができ、ローダー遮光板が高温度で溶けることを防ぐことができてディスクに干渉することを防ぐことができる記録再生装置を提供することを目的としている。
【課題を解決するための手段】
【０００８】
本発明は、上記課題を解決するために提案されたものであって、請求項１に記載の発明は、筐体の内部にＡＶ基板とＶＣＲとローダーとメインＩＣ等の発熱部品が裏面に実装されたローダー基板とが配置され、ローダー遮光板やピックアップを設けた前記ローダーの上部に前記ローダー基板が配置された記録再生装置において、前記ＶＣＲと前記ローダーとの間隙部分にメインＩＣ等の発熱部品が配置されるように前記ローダー基板が前記ＶＣＲと前記ローダー間に架け渡され、前記筐体の後壁に排気ファンが配置されてこの排気ファンより前記ローダー基板における前記発熱部品の前記ＶＣＲ寄りに向けて仕切り板が配置されており、前記ローダー基板の前記発熱部品が前記ローダー上に位置しないように構成したことを特徴としている。
【０００９】
請求項２に記載の発明は、筐体の内部にＡＶ基板とＶＣＲとローダーとメインＩＣ等の発熱部品が裏面に実装されたローダー基板とが配置され、ローダー遮光板やピックアップを設けた前記ローダーの上部に前記ローダー基板が配置された記録再生装置において、前記ＶＣＲと前記ローダーとの間隙部分にメインＩＣ等の発熱部品が配置されるように前記ローダー基板が前記ＶＣＲと前記ローダー間に架け渡され、前記筐体の後壁に排気ファンが配置されており、前記ローダー基板の前記発熱部品が前記ローダー上に位置しないように構成したことを特徴としている。
【発明の効果】
【００１０】
請求項１に記載の発明によれば、従来と同じ部材を使用して別の部材を使用しないから、構造が簡単であり、コスト高にならない。更に、ＶＣＲとローダーとの間隙部分にメインＩＣ等の発熱部品が配置されるようにローダー基板がＶＣＲとローダー間に架け渡されているから、ローダーがローダー基板の発熱部品の発熱に影響されることがないことにより、ローダーに設けられたピックアップの温度上昇を抑えることができると共に、ローダー遮光板が高温度で溶けることを防ぐことができてディスクに干渉することを防ぐことができる。また、筐体の後壁に排気ファンが配置されてこの排気ファンよりローダー基板における発熱部品のＶＣＲ寄りに向けて仕切り板が配置されているから、排気ファンの排気により仕切り板に沿って冷風が流れて発熱部品による発熱を冷却することができ、筐体内が高温になることを防ぐことができる。
【００１１】
請求項２に記載の発明によれば、従来と同じ部材だけを使用して別の部材を使用しないから、構造が簡単であり、コスト高にならない。更に、ＶＣＲとローダーとの間隙部分にメインＩＣ等の発熱部品が配置されるようにローダー基板がＶＣＲとローダー間に架け渡されているから、ローダーがローダー基板の発熱部品の発熱に影響されることがないことにより、ローダーに設けられたピックアップの温度上昇を抑えることができると共に、ローダー遮光板が高温度で溶けることを防ぐことができてディスクに干渉することを防ぐことができる。また、筐体の後壁に排気ファンが配置されているから、排気ファンによる冷風の流れによって筐体内が高温になることを防ぐことができる。
【発明を実施するための最良の形態】
【００１２】
以下、本発明に係る記録再生装置の実施の形態について、図を参照しつつ説明する。
【００１３】
図１は本発明の第１実施形態の記録再生装置の内部構造を示し、ローダー基板の発熱部品の配置状態と排気ファンと仕切り板の位置関係を示す概略平面図である。
【００１４】
この第１実施形態の記録再生装置は、図１に示すように、筐体１における図にて左側にＡＶ基板２が配置され、このＡＶ基板２の上側にＶＣＲ３が配置されて、更に図にて右側にローダー４が配置されている。ローダー４にはローダー遮光板（図示略）とピックアップ（図示略）が設けられている。ＶＣＲ３とローダー４との間にローダー基板５が架け渡されていて、このローダー基板５の裏面のメインＩＣ等の発熱部品６がＶＣＲ３とローダー４の間隙部分に配置されるようになっている。また、筐体１の後側に排気ファン７が配置されて、この排気ファン７よりローダー基板５における発熱部品６のＶＣＲ３寄りに向けて仕切り板８が配置されている。
【００１５】
従って、この第１実施形態によれば、ＶＣＲ３とローダー４との間隙部分にメインＩＣ等の発熱部品６が配置されるようにローダー基板５がＶＣＲ３とローダー４間に架け渡されているから、ローダー４がローダー基板５の発熱部品６の発熱に影響されることがないことにより、ローダー４に設けられたピックアップの温度上昇を抑えることができると共に、ローダー遮光板が高温度で溶けることを防ぐことができてディスクに干渉することを防ぐことができる。また、筐体１の後壁に排気ファン７が配置されてこの排気ファン７よりローダー基板５における発熱部品６のＶＣＲ３寄りに向けて仕切り板８が配置されているから、排気ファン７の排気により仕切り板８に沿って冷風が流れて発熱部品６による発熱を冷却することができ、筐体１内が高温になることを防ぐことができる。
【００１６】
図２は本発明の第２実施形態の記録再生装置の内部構造を示し、ローダー基板の発熱部品の配置状態と排気ファンの位置関係を示す概略平面図である。
【００１７】
この第２実施形態の記録再生装置は、図２に示すように、、筐体１における図にて左側にＡＶ基板２が配置され、このＡＶ基板２の上側にＶＣＲ３が配置されて、更に図にて右側にローダー４が配置されている。ローダー４にはローダー遮光板（図示略）とピックアップ（図示略）が設けられている。ＶＣＲ３とローダー４との間にローダー基板５が架け渡されていて、このローダー基板５の裏面のメインＩＣ等の発熱部品６がＶＣＲ３とローダー４の間隙部分に配置されるようになっている。また、筐体１の後側に排気ファン７が配置されている。
【００１８】
従って、この第２実施形態によれば、ＶＣＲ３とローダー４との間隙部分にメインＩＣ等の発熱部品６が配置されるようにローダー基板５がＶＣＲ３とローダー４間に架け渡されているから、ローダー４がローダー基板５の発熱部品６の発熱に影響されることがないことにより、ローダー４に設けられたピックアップの温度上昇を抑えることができると共に、ローダー遮光板が高温度で溶けることを防ぐことができてディスクに干渉することを防ぐことができる。また、筐体１の後壁に排気ファン７が配置されているから、排気ファン７による冷風の流れによって筐体１内が高温になることを防ぐことができる。
【図面の簡単な説明】
【００１９】
【図１】本発明の第１実施形態の記録再生装置の内部構造を示し、ローダー基板の発熱部品の配置状態と排気ファンと仕切り板の位置関係を示す概略平面図である。
【図２】本発明の第２実施形態の記録再生装置の内部構造を示し、ローダー基板の発熱部品の配置状態と排気ファンの位置関係を示す概略平面図である。
【図３】従来の記録再生装置の内部構造を示し、ローダー基板の発熱部品の配置状態を示す概略平面図である。
【図４】従来のディスク記録及び／又は再生装置の内部構造を示す縦断面図である。
【図５】従来のデータ記録装置としてのカメラのレンズ光軸に垂直方向の概略断面図である。
【図６】同装置における表示筐体をカメラ本体に対して、軸回転させた状態の水平断面図である。
【符号の説明】
【００２０】
１      筐体
２      ＡＶ基板
３      ＶＣＲ
４      ローダー
５      ローダー基板
６      発熱部品
７      排気ファン
８      仕切り板
【図１】
2008130149.tif 000003
【図２】
2008130149.tif 000004
【図３】
2008130149.tif 000005
【図４】
2008130149.tif 000006
【図５】
2008130149.tif 000007
【図６】
2008130149.tif 000008